(57)【要約】【課題】布製型枠を用いた法面保護施工などに際して、材料コストが安価であり、施工面全面に植生、緑化を行うことが可能であり、さらには布製型枠の撤去にも費用がかからないようにする。【解決手段】布製型枠２１を法面に固定し、この布製型枠２１の内部に改質土壌スラリーを注入し、固化させて改質土壌２２として、法面に布製型枠を用いた構造物２を形成する保護施工法であって、布製型枠２１に透水性布帛からなるものを、改質土壌スラリーに土壌とポリマーエマルジョンと水を含むものを用いる。透水性布帛として、天然繊維などの腐食性材料からなるものを用いることが好ましい。【選択図】図１
2006037445.tif 000002
【特許請求の範囲】
【請求項１】
布製型枠の内部に改質土壌スラリーを注入して固化させた構造物であって、
布製型枠が透水性布帛からなり、
改質土壌スラリーが、土壌とポリマーエマルジョンを主成分として含む土壌固化剤と水からなるものであることを特徴とする布製型枠を用いた構造物。
【請求項２】
布製型枠をなす透水性布帛が、腐食性材料からなるものであることを特徴とする請求項１記載の布製型枠を用いた構造物。
【請求項３】
透水性布帛が、木綿不織布であることを特徴とする請求項１記載の布製型枠を用いた構造物。
【請求項４】
布製型枠を法面に固定し、この布製型枠の内部に改質土壌スラリーを注入し、固化させる法面保護施工法であって、
布製型枠が透水性布帛からなり、
改質土壌スラリーが、土壌とポリマーエマルジョンを主成分として含む土壌固化剤と水を含むものであることを特徴とする法面保護施工法。
【請求項５】
改質土壌スラリーをなす土壌が、施工現場から採取されたものであり、改質土壌スラリーの製造が施工現場で行われることを特徴とする請求項４記載の法面保護施工法。
【発明の詳細な説明】
【技術分野】
【０００１】
この発明は、法面保護などに用いられる布製型枠を用いた構造物および法面保護施工法に関する。
【背景技術】
【０００２】
従来より、合成樹脂製布帛を縫合してなる布製型枠を法面に敷設し、鉄杭などで固定した後、この布製型枠の内部に生コンクリートを注入し硬化させてコンクリート構造物を構築し、これにより法面を被覆、保護する法面保護施工法が行われている。
【０００３】
この法面保護施工法によれば、生コンクリート注入時の地盤形状との適合性が良く、大きな摩擦抵抗が得られ、強度、耐久性に優れた保護被覆が形成でき、現場施工であるので工期短縮、施工コスト削減が可能であるなどの利点があるとされている。
【０００４】
しかし、この法面保護施工法にあっては、生コンクリートを使用しているため材料コストが高い。また、施工後の法面は合成樹脂の布製型枠が表面に露出しているので、法面に植生や緑化を行うには、メッシュ型などの特殊構造の布製型枠が必要となり、やはり材料コストが高くなるとともに法面全面に植生、緑化を行うことができない。さらに、布製型枠が合成樹脂製であることから、いつまでも法面上に残ることになり、布製型枠を撤去する必要が生じたときには、新たな撤去費用が必要になるなどの問題点があった。
【特許文献１】特開昭５８−２０８２７号公報
【特許文献２】特開昭６２−１２１２１２号公報
【発明の開示】
【発明が解決しようとする課題】
【０００５】
よって、本発明における課題は、布製型枠を用いた施工に際して、材料コストが安価であり、施工面全面に植生、緑化を行うことが可能であり、さらには布製型枠の撤去にも費用がかからないようにすることにある。
【課題を解決するための手段】
【０００６】
かかる課題を解決するため、
請求項１にかかる発明は、布製型枠の内部に改質土壌スラリーを注入して固化させた構造物であって、布製型枠が透水性布帛からなり、改質土壌スラリーが、土壌とポリマーエマルジョンを主成分として含む土壌固化剤と水からなるものであることを特徴とする布製型枠を用いた構造物である。
【０００７】
請求項２にかかる発明は、布製型枠をなす透水性布帛が、腐食性材料からなるものであることを特徴とする請求項１記載の布製型枠を用いた構造物である。
請求項３にかかる発明は、透水性布帛が、木綿不織布であることを特徴とする請求項１または２記載の布製型枠を用いた構造物である。
【０００８】
請求項４にかかる発明は、布製型枠を法面に固定し、この布製型枠の内部に改質土壌スラリーを注入し、固化させる法面保護施工法であって、布製型枠が透水性布帛からなり、改質土壌スラリーが、土壌とポリマーエマルジョンを主成分として含む土壌固化剤と水を含むものであることを特徴とする法面保護施工法である。
【０００９】
請求項５にかかる発明は、改質土壌スラリーをなす土壌が、施工現場から採取されたものであり、改質土壌スラリーの製造が施工現場で行われることを特徴とする請求項４記載の法面保護施工法である。
【発明の効果】
【００１０】
本発明によれば、改質土壌スラリーが土壌を主体とするものであるので、材料コストを安価とすることができる。また、改質土壌スラリーが固化した改質土壌は、ポリマーエマルジョンによって強固の固結されているので、法面等を保護するには十分な強度を有している。さらに、布製型枠を敷設し、これに改質土壌スラリーを単に注入するだけで施工が完了するので、施工も容易である。
【００１１】
さらに、透水性布帛として、木綿などの天然繊維からなる布帛を用いれば、これがやがて腐食、消滅し、固化改質土壌が露出するので、植生、緑化が可能になり、これによって固化改質土壌の流出、崩落が防止できるとともに、布製型枠を撤去する必要が生じても、撤去費用が新たにかかることがない。
【発明を実施するための最良の形態】
【００１２】
以下、図面を参照して本発明を詳しく説明する。
図１は、本発明の布製型枠を用いた構造物の一例を示すもので、該構造物を道路側壁の法面保護のために構築した例を示す。
図１において、符号１は、道路側壁をなす地山を示す。この地山１の法面には布製型枠を用いた構造物２がその傾斜面のほぼ全体を覆うようにして設置されている。
【００１３】
また、図中符号３は、舗装道路を示し、この舗装道路３は、整地、転圧された地盤４上に砕石層５を敷設し、この砕石層５上に下地コンクリート層６を打設し、さらにこの上にアスファルト舗装層７を敷設したものである。
この舗装道路３の路肩部分と地山１の下部との取り合い部分には、コンクリートブロック製の山留めブロック８が積設され、地山１の崩落を防止するようになっている。この山留めブロック８の上端部には、上記構造物２の下端部がこれに接するようにして設けられている。
【００１４】
上記構造物２は、布製型枠２１とこの布製型枠２１内に充填、固化された改質土壌２２とからなる厚さ５ｃｍ〜５０ｃｍ程度のほぼ平板状のものである。
布製型枠２１は、２枚または３枚以上の透水性布帛を重ね、その周囲を縫合して形成された袋体であって、その内部空間には改質土壌スラリーが注入されるようになっている。
【００１５】
また、上記透水性布帛としては、ポリエステル繊維、ポリアミド繊維、ポリプロピレン繊維などからなる織布、編布、不織布や、木綿、麻などの天然繊維からなる織布、編布、不織布などが用いられる。透水性布帛として天然繊維からなるものを用いれば、これが徐々に腐食し、ついには消滅するので、内部の改質土壌２２に対して植生や緑化が可能になる。
【００１６】
ここでの透水性とは、布製型枠２１に注入する改質土壌スラリーの水分のみを透過し、土壌粒子はほとんど流出しない性質を言い、目開きが０．１ｍｍ以下の布帛がこれを満足する。
このような透水性布帛としてもっとも好ましい材料は、木綿不織布である。
【００１７】
布製型枠２１の形状は、従来からこの種の用途に用いられている合成樹脂製布帛を縫合してなる布製型枠と同様の形状を有するものが用いられ、例えば２枚の透水性布帛を重ね合わせ、その周囲を縫い合わせ、上層の布帛と下層の布帛とを適宜の間隔で糸または紐で連結した構造のものなどが用いられる。この布製型枠２１の周縁部には、改質土壌スラリーを注入する１個以上の開閉可能な開口部が形成されている。
【００１８】
この布製型枠２１内に充填され、固化された改質土壌２２は、土壌と土壌固化剤と水とからなる改質土壌スラリーを固化したものである。土壌としては、主に施工現場やその付近から採取されたもの、特に地山１の法面を整地した際に発生した残土などが搬入作業を必要とせず好適であるが、施工現場以外から搬入された土壌であっても良い。
【００１９】
また、土壌固化剤としては、樹脂分２０〜６０ｗｔ％のポリマーエマルジョンを主成分とする水性組成物が用いられる。ポリマーエマルジョンには、アクリル系、酢酸ビニル系、エチレン−酢酸ビニル共重合体系、スチレン−ブタジエン系などの各種ポリマーエマルジョンが用いられる。
【００２０】
土壌固化剤としては、なかでも米国特許明細書第６６９５５４５号に開示されたアクリル系コポリマーエマルジョンと酵素とセメントを含む水性組成物が、固化後の改質土壌２２の強度が高く、固化性も良好であることから特に好ましい。
この水性組成物を構成するアクリル系コポリマーエマルジョンは、アクリル酸ブチルと酢酸ビニルと２−プロペニル酸との共重合体エマルジョンである。
この水性組成物は、例えばアメリカ、カルフォルニア州、ニューポートビーチにあるＧ．Ｍ．ボストン社から、商品名「ＰＸ−３００」として販売されている。
【００２１】
改質土壌スラリーをなす土壌と土壌固化剤と水との混合割合は、土壌１ｍ３に対して土壌固化剤が固形分として３〜１５ｋｇ、水がスラリーとしての含水比が８０〜５００％となるように決められる。この改質土壌スラリーには、必要に応じてベントナイト、ポリビニルアルコールなどの分散安定剤を添加して、土壌粒子の沈降を防止するようにしてもよい。
この改質土壌スラリーの製造は、通常のドラム型ミキサーなどを用いて施工現場で行うことができる。勿論、施工現場以外の場所で製造して、施工現場にミキサー車などを用いて搬入してもよい。
【００２２】
次に、このような布製型枠を用いた構造物を構築する方法、すなわち本発明の法面保護施工法について説明する。
まず、地山１の法面を整地しておく。ついで、布製型枠２１を法面に敷設し、その上端部付近を鉄杭などで地山１に打ち込んで固定する。
ついで、この状態の布製型枠２１の上部にある開口部から改質土壌スラリーを注入する。この注入には、生コンクリート圧送用ポンプやスラリーポンプなどが用いられる。
布製型枠２１の内部に十分改質土壌スラリーが充填されたのち、布製型枠２１の開口部を適宜の手段で封ずれば、施工完了となる。
【００２３】
施工の際、地山１から湧水がある場合、遮水材を布製型枠２１と地山１との間に敷設し、改質土壌スラリーの固化が完了するまで、布製型枠２１内部に湧水が侵入しないようにする必要がある。この際、用いられる遮水材としては、板紙、段ボール紙などの改質土壌スラリーの固化に要する２４〜７２時間の間の一時的な遮水性が期待でき、スラリーの固化後には腐食して消滅する材料が好ましい。
【００２４】
布製型枠２１内に注入された改質土壌スラリーに含まれる水分は、透水性布帛からなる布製型枠２１から外部に順次排出され、改質土壌スラリー中の水分量が減少していく。これにより土壌固化剤に含まれるポリマーエマルジョンによる土壌の固化が進行し、やがて改質土壌２２となる。
この改質土壌２２は、圧縮強度が０．５〜８ＭＰａと高く、法面を保護するものとしては十分なものとなる。
【００２５】
このような施工法にあっては、資材に土壌、例えば施工現場から採取された整地残土などを使用しているので、従来のコンクリートを使用するものと比較して材料コストが安価となる。また、施工コストも従来と変わることがない。また、改質土壌スラリーが固化した改質土壌２２は、ポリマーエマルジョンによって強固に固結された状態となっており、高い機械的強度を示す。
【００２６】
また、硬化後のポリマーエマルジョンは水に不溶となるので、スラリーの固化後に降雨があって、布製型枠２１内部に雨水が侵入しても、また地山１からの湧水があっても、改質土壌２２が流出することがない。
このため、法面保護として、従来のコンクリートを布製型枠に充填したものと遜色がないものとなる。
【００２７】
さらに、布製型枠２１をなす透水性布帛として木綿不織布などの腐食性材料からなるものを用いた場合には、布製型枠２１が腐食し、消滅して内部の改質土壌２２が露出する。この状態になれば、改質土壌２２に対して植生、緑化が可能になり、法面の美化ならびに流出、崩落の防止が可能となる。
また、法面に合成樹脂材料がいつまでも残ることがないので、環境に優しいものとなり、かつ布製型枠の撤去作業も不要となる。
【００２８】
なお、上述の例においては、道路の側壁の法面の保護を行うものを例示したが、本発明は、これに限定されることなく、例えば、河川、水路、ダム、貯水池、調整池などの法面を対象とすることができる。
また、本発明の布製型枠を用いた構造物にあっては、これを工場などで予め作成しておき、これを敷設現場に運んで敷設するような形態を取ることもできる。
【図面の簡単な説明】
【００２９】
【図１】本発明の法面保護施工法の一例を示す概略構成図である。
【符号の説明】
【００３０】
２・・・布製型枠を用いた構造物、２１・・・布製型枠、２２・・・改質土壌
【図１】
2006037445.tif 000003